(57)【要約】【課題】接続手段の長さを短くすることができ、接続手段が途中でよじれたり、絡み合いが発生するようなことを抑え、また、交換作業の際、接続手段が押しつぶされて、或いは誤って無理な力で引っ張って断線するようなことを回避することができるようにした遊技機を提供する。【解決手段】交換ユニット（２）と、本体キャビネット（１）の中板（１２）より下部側の部品との間の電気的やり取りを行うための接続コード（８１）を有する接続手段（８０）を設け、中板（１２）は、上下方向に連通する接続通路（６０）を設け、交換ユニット（２）と、本体キャビネット（１）の前記中板（１２）より下部側の部品との間の電気的接続は、接続手段（８０）を、前記中板（１２）の前記接続通路（６０）に通すことにより、接続通路（６０）を介して行われていることを特徴とする。【選択図】    図１
2004229779.tif 000002
【特許請求の範囲】
【請求項１】
正面側に開口する正面開口部を有する略箱状の本体キャビネットと、
前記本体キャビネットの正面開口部を開閉自在に塞ぐための前扉と、
前記本体キャビネット内部に横方向に渡した板状の中板と、
複数の図柄が表示された回転リール及びこの回転リールを回転させるための回転手段を有するリールユニットと、
前記回転リールの回転を制御するための主制御装置と、
遊技メダルを払い出すための払い出し装置とを備えた遊技機において、
前記リールユニット及び前記主制御装置を有し、前記本体キャビネットの前記中板の上部に交換可能に配置される交換ユニットを備え、
前記払い出し装置は、前記本体キャビネットの前記中板の下部に配置され、
前記交換ユニットと、前記本体キャビネットの前記中板より下部側の部品との間の電気的やり取りを行うための接続コードを有する接続手段を設け、
前記中板は、前記中板の上部と前記中板の下部との間を上下方向に連通する
接続通路を設け、
前記交換ユニットと、前記本体キャビネットの前記中板より下部側の部品との間の電気的接続は、前記接続手段を、前記中板の前記接続通路に通すことにより、前記接続通路を介して行われていることを特徴とする遊技機。
【請求項２】
前記接続手段は、
前記リールユニット及び前記主制御装置に一方の端部を接続した上部側接続コードと、
前記上部側接続コードの他方の端部に設けた上部接続端子と、
前記本体キャビネットの中板より下部側の部品に一方の端部を接続した下部側接続コードと、
前記下部側接続コードの他方の端部に設けた下部接続端子とを備え、
前記中板に接する前記交換ユニットの下面に前記上部接続端子を備え、前記上部接続端子は、前記交換ユニットを前記本体キャビネットに装着した際に前記接続通路に対応する位置に臨むように形成され、
前記下部接続端子は、前記交換ユニットを前記本体キャビネットに装着した際に前記下部接続端子を上方向に動かして前記上部接続端子と整合するように前記接続通路の下部に形成されていることを特徴とする請求項１記載の遊技機。
【請求項３】
前記接続手段は、前記下部接続端子を内部に収納した移動ボックスを上下方向に向かって移動させるために、前記移動ボックスを前記接続通路内の上下方向に案内する移動案内手段を備え、
前記移動案内手段は、
前記移動ボックスを前記接続通路の下部で保持するとともに前記移動ボックスを上下方向に案内する案内レールと、
前記移動ボックスから突出し、前記案内レールに沿って前記移動ボックスとともに移動可能な移動案内突片とを備えていることを特徴とする請求項２記載の遊技機。
【請求項４】
前記前扉は、
前記本体キャビネットの前記中板より上部を開閉自在に塞ぐための上扉と、
前記本体キャビネットの前記中板より下部を開閉自在に塞ぐための下扉とを備え、
前記移動ボックスには、前記下部接続端子を前記上部接続端子に接続した状態で、前記接続通路を閉塞する通路閉塞部が設けられていることを特徴とする請求項３に記載の遊技機。
【請求項５】
前記遊技機は、前記本体キャビネットの裏板と前記払い出し装置との間に固定され前記払い出し装置と接続がされる集中接続端子を備え、
前記接続手段は、
前記接続通路内部を通して、前記リールユニット及び前記主制御装置に一端側が接続された特別上部側接続コードと、
前記接続通路内部を通すとともに、前記特別上部側接続コードの他端側に位置して、前記集中接続端子に接続可能な特別上部接続端子とを備えたことを特徴とする請求項１記載の遊技機。
【請求項６】
前記接続手段は、
前記リールユニット及び前記主制御装置に一方の端部を接続した上部側接続コードと、
前記上部側接続コードの他方の端部に設けた上部接続端子と、
前記本体キャビネットの中板より下部側の部品に一方の端部を接続した下部側接続コードと、
前記下部側接続コードの他方の端部に設けた下部接続端子とを備え、
前記下部接続端子及び前記上部接続端子のうち、いずれか一方には、前記下部接続端子及び前記上部接続端子のうちいずれか一方を前記接続通路内の上下方向に案内する移動案内手段が形成されていることを特徴とする請求項１記載の遊技機。
【請求項７】
前記下部接続端子に前記移動案内手段が形成されていることを特徴とする請求項６記載の遊技機。
【請求項８】
前記前扉は、
前記本体キャビネットの前記中板より上部を開閉自在に塞ぐための上扉と、
前記本体キャビネットの前記中板より下部を開閉自在に塞ぐための下扉とを備え、
前記移動案内手段には、前記下部接続端子を前記接続通路内の上方向に案内した状態でかつ前記上部接続端子と接続した状態において前記接続通路を閉塞する通路閉塞部が設けられていることを特徴とする請求項７記載の遊技機。
【発明の詳細な説明】
【０００１】
【発明の属する技術分野】
この発明は、交換ユニットを有する分離型の遊技機において、上下の電気的接続が容易な遊技機に関するものである。
【０００２】
【従来の技術】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで交換するのが通例となっており、最近では、このサイクルが更に短くなる傾向にある。
【０００３】
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００４】
そこで、近年、遊技内容に直接、影響するリールユニット及びこのリールユニットの回転リールの回転駆動等を制御する主基板（主制御装置）を、前扉に固定して、前扉ごと一体に本体キャビネットから着脱自在に形成して、交換可能とする発明がなされている（例えば、特許文献１、図１及び図３参照。）。
さらに、リールユニット及び主基板（主制御装置）を固定した前扉に、払い出し装置（メダル排出装置）や電源装置を固定して、前扉ごと一体に本体キャビネットから着脱自在に形成して交換可能にする発明がなされている（例えば、特許文献１、図４参照。）。
【０００５】
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。具体的には、枠体等の構造用部材に前記リールユニット及び主基板（主制御装置）を設置した交換ユニットを、本体キャビネット内部に着脱自在に形成して、新旧の交換作業を容易にしたスロットマシンに関する技術がある（例えば、特願２００１−１６３５７０号。）。
【０００６】
また、従来より、遊技機において、遊技機内部の部品間の電気的やり取りを行うための電気的な接続は、制御信号線や、電力線等の複数の配線の束からなるハーネスと呼ばれる接続コード等を有する接続手段により、行われている（例えば、特許文献２、図３及び図６参照。）。
そして、上述した分離型の遊技機においては、遊技ホールの新台入れ替えの際に、部品交換を行わない固定部分と、部品交換を行う交換部分とに分けて、かかる交換部分を入れ替えることで、遊技機の機種の変更を行う。その場合、固定部分に設けられた部品と、交換部分の部品との間の電気的接続は、配線の束からなるハーネスと呼ばれる接続コード等の接続手段により、電気的な回路を形成し、遊技機のシステム全体を構成していた。
【０００７】
そして、上述したような分離型の遊技機においても、本体キャビネットの中央を仕切る中板を形成し、本体キャビネットの中板の上部に交換ユニットを配置し、本体キャビネットの中板の下部に払い出し装置を配置していた。そして、両者の間の電気的接続は、ハーネスと呼ばれる接続コードを本体キャビネットの内部側面に沿って這わせていた。
【０００８】
また、交換ユニットと、交換ユニット以外の部品との間の接続端子は、一カ所に集中させた方が効率が良いため、集中端子板や、或いは、コネクターブラケットと呼ばれるものに、接続端子を集中させていた。そして、かかる接続端子を集中させたものは、交換ユニットを取り付ける遊技機の上部にもうけてあった（例えば、特願２００２−２９３３４２号、段落番号１７５。）。
【０００９】
【特許文献１】
特開平１０−５２５２５号公報（第１図、第３図、第４図）
【特許文献２】
特開２００２−２２４２７４号公報（第３図、第６図）
【００１０】
【発明が解決しようとする課題】
上記した従来の遊技機では、いわゆるハーネスと呼ばれる接続コードを、本体キャビネットの上部にまで本体キャビネットの内部側面に沿って這わせている構造で、且つ、交換ユニットがあまりにも重いため、交換ユニットの交換作業において、接続コードが断線してしまうという第一の問題点があった。
【００１１】
具体的には、交換ユニットがあまりにも重いため、交換作業者は、ある程度、力をこめないと交換ユニットを引っ張り出すことができない。このとき、外した接続コードが交換ユニット等のどこかに引っかかっている場合、交換ユニットを引っ張り出そうとしても接続コードが引っかかっているため、交換ユニットを引っ張り出すことができない。しかし、交換作業者は力が足りないと勘違いして無理にでも引っ張りだそうとする場合がある。これにより、引っかかっていた接続コードが断線するくらいの力をかけて引っ張って接続コードが断線してしまうという問題がある。
【００１２】
また、交換ユニットを挿入するとき、交換ユニットと交換ユニットを支える中板との間に接続コードが挟まっている場合、交換ユニットがあまりにも重いため、引きずりながら交換ユニットを挿入するので、その摩擦力から接続コードが断線してしまうという問題がある。
このように、接続コードを、本体キャビネットの内部側面に沿って這わせている構造で、且つ、交換ユニットがあまりにも重いため、接続コードが断線してしまうという第一の問題点があった。
【００１３】
また、上記した従来の遊技機では、本体キャビネットの上部に配置する交換ユニットと、本体キャビネットの中板より下部側に配置する払い出し装置や、電源装置等との間の電気的接続は、上述したように複数の配線の束からなるハーネスと呼ばれる接続コード等を有する接続手段を、本体キャビネットの下部から、本体キャビネットの上部にまで本体キャビネットの内部側面に沿って這わせていたため、ハーネスの長さが、長くなり、途中でよじれや、絡み合いが発生しやすいという第二の問題点があった。
【００１４】
また、上述したようにハーネスを本体キャビネットの下部から、上部にまで、本体キャビネットの内部側面に沿って這わせているため、交換ユニットの取り付け、取り外し作業の際、本体キャビネット内面と、交換ユニット等の部品との間で押しつぶされて断線しやすいという第三の問題点があった。
また、交換ユニットの交換作業において、複数のハーネスを全部取り外して、古い交換ユニットを取り外し、その後、新しい交換ユニットを取り付けて、複数のハーネスを接続する場合、複数のハーネスのどのハーネスを、いずれの部品のどの接続端子に接続して良いのか、忘れてしまう場合があった。特に、交換ユニットの交換作業に熟練していない作業者にとって、かかるハーネスの取り付け作業が、交換作業の効率を落とす原因にもなるといった第四の問題点があった。
【００１５】
また、交換ユニット以外の部品間のハーネスの接続は、全て遊技機の製造工場において、製造工程を熟知して、熟練した作業者が、高度の検査器具や、接続器具を使用して、良好な作業環境の下で、正確に行うことができる。しかし、新たに交換する交換ユニットと、本体キャビネット側の部品との間のハーネスによる接続は、全国の各遊技ホールの現場で、全国各地の取り付け業者が行うこととなり、必ずしも全員が、交換作業に熟知しているとは限らなかった。かかる状況において、接続端子間のハーネスの接続を誤る場合があり、かかる誤った誤配線は、電子部品の故障の発生の原因になるといった第五の問題点があった。
【００１６】
また、上述したように、交換ユニットと、交換ユニット以外の部品との間の配線は、ハーネスにより行われ、かかるハーネスの接続端子を集中して配置した集中端子板や、或いはコネクターブラケットと呼ばれるものは、遊技機の上部に配置されていた。そして、本体キャビネットの中板の上部に設けた主制御装置や、その主制御装置を含む交換ユニットは、不正が行われないように、簡単に取り外せないようにしたシール等からなる封印が行われれている。しかし、遊技機内部の一部だけの部品の交換や簡単な修理や点検等のために、各部品のハーネスを取り外さなければならないような場合、かかる封印が行われているため、交換ユニット等は固定した状態のままで、ハーネスの接続作業を行わなければならないこととなり、遊技機上部におけるハーネスの接続作業が容易ではないといった第六の問題点があった。
【００１７】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一乃至三のの問題点に鑑みてなされたものであり、その目的とするところは、接続手段の長さを短くすることができて、接続手段が途中でよじれたり、絡み合いが発生するようなことを抑え、また、交換作業の際、本体キャビネットの内面と、交換ユニット等の他の部品との間で接続手段が押しつぶされて、或いは誤って無理な力で引っ張って断線するようなことを回避することができるようにした遊技機を提供しようとするものである。
【００１８】
（請求項２）
請求項２記載の発明は、上記した請求項１記載の発明の目的に加え、次の点を目的とする。
すなわち、請求項２記載の発明は、上記した従来の技術の有する第四及び第五の問題点に鑑みてなされたものであり、その目的とするところは、接続作業をスムーズに行うことができて、交換作業を効率的に行うことができ、また、誤配線による電子部品の故障の発生を回避することができるようにした遊技機を提供しようとするものである。
【００１９】
（請求項３）
請求項３記載の発明は、上記した請求項２記載の発明の目的に加え、次の点を目的とする。
すなわち、請求項３記載の発明は、下部接続端子と、上部接続端子との間の接続作業や、取り外し作業を、よりスムーズで確実なものにすることができるようにした遊技機を提供しようとするものである。
【００２０】
（請求項４）
請求項４記載の発明は、上記した請求項３に記載の発明の目的に加え、次の点を目的とする。
すなわち、請求項４記載の発明は、下扉だけを開放した状態において、主制御装置やリールユニットを有する交換ユニットへの不正操作を防止することができるようにした遊技機を提供しようとするものである。
【００２１】
（請求項５）
請求項５記載の発明は、上記した請求項１に記載の発明の目的に加え、次の点を目的とする。
すなわち、請求項５記載の発明は、上記した従来の技術の有する第六の問題点に鑑みてなされたものであり、その目的とするところは、接続作業を容易なものにすることができ、また、不正操作を防止可能な遊技機を提供しようとするものである。
【００２２】
（請求項６）
請求項６記載の発明は、上記した請求項１に記載の発明の目的に加え、次の点を目的とする。
すなわち、請求項６記載の発明は、本体キャビネットの上部の交換ユニットの位置精度や組み合わせる部品の位置精度が悪くても対応可能な遊技機を提供しようとするものである。
【００２３】
（請求項７）
請求項７記載の発明は、上記した請求項６に記載の発明の目的に加え、次の点を目的とする。
すなわち、請求項７記載の発明は、下部接続端子を上方向に移動した後、下部接続端子に対して上から上部接続端子を接続することができるため、配線作業を確認しつつ行うことができるようにした遊技機を提供しようとするものである。
【００２４】
（請求項８）
請求項８記載の発明は、上記した請求項７に記載の発明の目的に加え、次の点を目的とする。
すなわち、請求項８記載の発明は、下扉だけを開放した状態では、交換ユニット内の主制御装置やリールユニットへの不正操作を防止することができるようにした遊技機を提供しようとするものである。
【００２５】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００２６】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００２７】
すなわち、正面側に開口する正面開口部（１１）を有する略箱状の本体キャビネット（１）と、前記本体キャビネット（１）の正面開口部（１１）を開閉自在に塞ぐための前扉（３）と、前記本体キャビネット（１）内部に横方向に渡した板状の中板（１２）と、複数の図柄が表示された回転リール（２３）及びこの回転リール（２３）を回転させるための回転手段を有するリールユニット（２２）と、前記回転リール（２３）の回転を制御するための主制御装置（２５）と、遊技メダルを払い出すための払い出し装置（５）とを備えた遊技機において、前記リールユニット（２２）及び前記主制御装置（２５）を有し、前記本体キャビネット（１）の前記中板（１２）の上部に交換可能に配置される交換ユニット（２）を備え、前記払い出し装置（５）は、前記本体キャビネット（１）の前記中板（１２）の下部に配置され、前記交換ユニット（２）と、前記本体キャビネット（１）の前記中板（１２）より下部側の部品との間の電気的やり取りを行うための接続コード（８１）を有する接続手段（８０）を設け、前記中板（１２）は、前記中板（１２）の上部と前記中板（１２）の下部との間を上下方向に連通する接続通路（６０）を設け、前記交換ユニット（２）と、前記本体キャビネット（１）の前記中板（１２）より下部側の部品との間の電気的接続は、前記接続手段（８０）を、前記中板（１２）の前記接続通路（６０）に通すことにより、前記接続通路（６０）を介して行われていることを特徴とする遊技機。
【００２８】
また、ここで、「回転リール（４０）」とあるのは、周囲に複数の図柄を表示したものが、実際に回転するようなものに限定されるものではなく、液晶画面に表示されるようなものも含まれるものである。具体的には、例えば、液晶装置を使用することにより、周囲に複数の図柄を表示した回転リールが回転するような画像を当該液晶装置によって遊技者に向かって表示するものも含まれる。また、ここで、「遊技機（１０）」とは、具体的には、例えば、スロットマシンであるが、上述した表示装置に現れる回転リールを有する遊技機を含むものである。
【００２９】
また、ここで、「遊技メダル」とは、遊技を開始するために、遊技者が、遊技機内部に投入するためのものであって、投入された遊技メダルは、通常、払い出し装置（５）に貯留され、遊技の入賞により、遊技者に払い出されるものである。
また、ここで、「前記本体キャビネット（１）の前記中板（１２）の上部に交換可能に配置される交換ユニット（２）」の「交換可能に配置され」とは、具体的には、交換ユニット（２）の枠状からなる枠状支持体（２１）の両端に鉤状に形成されたフック部と、本体キャビネット（１）の左右内面に固定されて、前記フック部を引っかけて固定可能なクリップとからなる着脱が容易な固定手段を備えていることにより容易に交換することができるようなものを含むものである。なお、ここで、枠状支持体（２１）は、全体形状が枠状からなり、主制御装置（２５）や、リールユニット（２２）を固定可能に形成されているものである。
【００３０】
また、ここで、「前記本体キャビネット（１）の前記中板（１２）より下部側の部品」とは、具体的には、払い出し装置（５）や、電源装置（４）等の本体キャビネット（１）の中板（１２）より下に配置されている部品を意味するものである。なお、ここで、電源装置（４）を中板（１２）の上部に配置するような場合は、「本体キャビネット（１）の前記中板（１２）より下部側の部品」は、払い出し装置（５）だけでも良いものである。
【００３１】
また、ここで、「接続手段（８０）」は、接続コード（８１）や、それらの間の接続端子等も含まれるものである。
また、ここで、「電気的やり取り」とあるが、電気的やり取りには、制御信号となるような入出力信号のやり取りのほかに、電源装置（４）から各部品に供給される供給電力のやり取りも含まれるものである。
【００３２】
また、ここで、「前記交換ユニット（２）と、前記本体キャビネット（１）の前記中板（１２）より下部側の部品との間の電気的接続は、前記接続手段（８０）を、前記中板（１２）の前記接続通路（６０）に通すことにより、前記接続通路（６０）を介して行われている」とは、接続通路（６０）に接続コード（８１）や、接続端子等を有する接続手段（８０）が通されていることにより、かかる接続手段（８０）を介して、入出力の電気信号等のやり取りが行われるようなものを意味するものである。
【００３３】
また、ここで、「払い出し装置（５）」は、入賞した場合に遊技者に向かって、遊技メダルを払い出すための装置であって、具体的には、図７及び図８に示すような各遊技機毎に独立して設けられて、ホッパー状の内部に遊技メダルを貯留することができるようなものを含むものである。さらに、この払い出し装置（５）には、複数の遊技機へベルト等のメダル搬送手段を介して遊技メダルを搬送可能な遊技ホール全体のメダル払い出しを一括して集中管理することができるようなものも含まれるものである。
【００３４】
（作用）
本発明は、交換ユニット（２）と、本体キャビネット（１）の中板（１２）より下部側の部品との間の電気的接続は、接続コード（８１）を有する接続手段（８０）を、接続通路（６０）に通すことにより、この接続通路（６０）を介して行われている。このため、交換ユニット（２）と、本体キャビネット（１）の  中板（１２）より下部側の部品との間の接続手段（８０）を、本体キャビネット（１）の内部側面に沿って這わせる必要がなく、また、内部側面に沿って回り込ませる必要がなく、接続手段（８０）を各部品間同士の略最短経路で結ぶことができる。これにより、接続手段（８０）の合計長さを短いものにすることができ、接続コード（８１）を有する接続手段（８０）が途中でよじれたり、絡み合いが発生するようなことを抑えることができる。
【００３５】
また、接続手段（８０）の合計長さを短くすることができて、接続手段（８０）に必要な費用も低減することができ、遊技機の製造コストも低くすることができる。また、接続手段（８０）の合計長さを短くすることにより、電気的やり取りの安定化を図ることができる。さらに、接続手段（８０）を本体キャビネット（１）の内部の中央近くを結ぶため、本体キャビネット（１）の内面近くの外部から近い距離に接続手段（８０）を配置するようなものと比較して、接続手段（８０）が外部からの電磁波等の影響を受けにくくすることができ、接続手段（８０）を用いた電気的やり取りをより安定したものにすることができる。
【００３６】
また、接続手段（８０）を本体キャビネット（１）の内面近くに配置せずに、本体キャビネット（１）の内部の中央近くに通すことが可能となる。このため、交換ユニット（２）の交換作業において、交換ユニット（２）の取り付け、取り外し作業の際、本体キャビネット（１）の内面と、交換ユニット（２）との間で接続手段（８０）が押しつぶされて断線するようなことを回避することができる。
【００３７】
また、接続手段（８０）を本体キャビネット（１）の内部側面に沿って這わせていないため、交換ユニット（２）の交換作業において、接続手段（８０）が交換ユニット（２）に引っかかることがなく、また、中板（１２）等との間に挟まることもなく、作業中、誤って無理な力で引っ張って断線することも回避することができる。
（請求項２）
請求項２記載の発明は、上記した請求項１記載の発明の特徴点に加え、次の点を特徴とする。
【００３８】
すなわち、前記接続手段（８０）は、前記リールユニット（２２）及び前記主制御装置（２５）に一方の端部を接続した上部側接続コード（１２０）と、前記上部側接続コード（１２０）の他方の端部に設けた上部接続端子（７０）と、前記本体キャビネット（１）の中板（１２）より下部側の部品に一方の端部を接続した下部側接続コード（１２５）と、前記下部側接続コード（１２５）の他方の端部に設けた下部接続端子（７５）とを備え、前記中板（１２）に接する前記交換ユニット（２）の下面に前記上部接続端子（７０）を備え、前記上部接続端子（７０）は、前記交換ユニット（２）を前記本体キャビネット（１）に装着した際に前記接続通路（６０）に対応する位置に臨むように形成され、前記下部接続端子（７５）は、前記交換ユニット（２）を前記本体キャビネット（１）に装着した際に前記下部接続端子（７５）を上方向に動かして前記上部接続端子（７０）と整合するように前記接続通路（６０）の下部に形成されていることを特徴とする。
【００３９】
なお、ここで、「前記リールユニット（２２）及び前記主制御装置（２５）に一方の端部を接続した上部側接続コード（１２０）」の「上部側接続コード（１２０）」は、リールユニット（２２）に一方の端部を接続したリールユニット側接続コード（１２１）と、主制御装置（２５）に一方の端部を接続した主制御装置側接続コード（１２２）とを備えているようなものを含むものである。
【００４０】
また、ここで、「前記本体キャビネット（１）の中板（１２）より下部側の部品」とは、請求項１の手段で説明したものと同様であって、具体的には、払い出し装置（５）や、電源装置（４）等を意味するものである。
また、ここで、「前記接続通路（６０）に対応する位置に臨むように形成され」とは、具体的には、例えば、上部接続端子（７０）であるリールユニット上部接続端子（７１）や、主制御装置上部接続端子（７２）のピン孔が、接続通路（６０）側の下方側に向かって開口するように配置されているようなものを意味するものである。
【００４１】
また、ここで、「前記下部接続端子（７５）は、前記交換ユニット（２）を前記本体キャビネット（１）に装着した際に前記下部接続端子（７５）を上方向に動かして前記上部接続端子（７０）と整合するように前記接続通路（６０）の下部に形成されている」とは、具体的には、例えば、上部接続端子（７０）のリールユニット上部接続端子（７１）と、下部接続端子（７５）のリールユニット下部接続端子（７６）とのピンと、ピン孔とが、上下方向に接近することにより、両者がそのまま接続することができるような上下方向の整合する位置に配置されているようなことを意味するものである。
【００４２】
（作用）
本発明は、交換ユニット（２）を本体キャビネット（１）に装着した後、上部接続端子（７０）と、下部接続端子（７５）とを近づけることにより、すなわち、下部接続端子（７５）を上部接続端子（７０）側の上方向に移動させて両者を近づけることにより、上部接続端子（７０）と、下部接続端子（７５）との両者を接続することができる。このように、上部接続端子（７０）と、下部接続端子（７５）との両者が、予め上下方向に整合するように配置されているため、いずれの接続端子を、相手側のどの接続端子に接続すれば良いのか、迷うことなく、接続作業を行うことができる。これにより、かかる接続作業を何の迷いもなくスムーズに行うことができて、交換作業を効率的に行うことができる。また、かかる接続作業において、判断の違いにより接続を誤る可能性が無いため、誤配線による電子部品の故障の発生を回避することができる。
【００４３】
また、下部接続端子（７５）を接続通路（６０）の下に形成しているため、交換ユニット（２）の交換作業中は、下部接続端子（７５）を接続通路（６０）の下に配置して、下部接続端子（７５）を中板（１２）より下方に引っ込めることができる。これにより、下部接続端子（７５）が交換作業中の交換ユニット（２）に引っかかることがなく、断線等の不具合の発生を防止することができる。
【００４４】
（請求項３）
請求項３記載の発明は、上記した請求項２記載の発明の特徴点に加え、次の点を特徴とする。
すなわち、前記接続手段（８０）は、前記下部接続端子（７５）を内部に収納した移動ボックス（７８）を上下方向に向かって移動させるために、前記移動ボックス（７８）を前記接続通路（６０）内の上下方向に案内する移動案内手段（９０）を備え、前記移動案内手段（９０）は、前記移動ボックス（７８）を前記接続通路（６０）の下部で保持するとともに前記移動ボックス（７８）を上下方向に案内する案内レール（９１）と、前記移動ボックス（７８）から突出し、前記案内レール（９１）に沿って前記移動ボックス（７８）とともに移動可能な移動案内突片（９２）とを備えていることを特徴とする。
【００４５】
（作用）
本発明は、下部接続端子（７５）を内部に収納した移動ボックス（７８）を上方に向かって移動させると、移動ボックス（７８）から突出する移動案内突片（９２）が、接続通路（６０）内に設けられた案内レール（９１）に沿って、上方に向かって移動する。これにより、移動ボックス（７８）に収納した下部接続端子（７５）を、上部接続端子（７０）に向かって、予め定めた接続通路（６０）内をスムーズに上方に向かって案内することができる。これにより、下部接続端子（７５）と、上部接続端子（７０）との接続作業を、よりスムーズに確実なものにすることができる。
【００４６】
また、下部接続端子（７５）と上部接続端子（７０）とが既に接続されている状態において、移動ボックス（７８）を下方に向かって移動させると、移動ボックス（７８）から突出する移動案内突片（９２）が、接続通路（６０）内に設けられた案内レール（９１）に沿って、下方に向かって移動する。これにより、移動ボックス（７８）内に収納した下部接続端子（７５）を、上部接続端子（７０）から取り外す方向に向かって、予め定めた接続通路（６０）内をスムーズに下方に向かって案内することができる。これにより、下部接続端子（７５）と、上部接続端子（７０）との取り外し作業を、よりスムーズに確実なものにすることができる。
【００４７】
（請求項４）
請求項４記載の発明は、上記した請求項３に記載の発明の特徴点に加え、次の点を特徴とする。
すなわち、前記前扉（３）は、前記本体キャビネット（１）の前記中板（１２）より上部を開閉自在に塞ぐための上扉（３０）と、前記本体キャビネット（１）の前記中板（１２）より下部を開閉自在に塞ぐための下扉（４０）とを備え、前記移動ボックス（７８）には、前記下部接続端子（７５）を前記上部接続端子（７０）に接続した状態で、前記接続通路（６０）を閉塞する通路閉塞部（９３）が設けられていることを特徴とする。
【００４８】
なお、ここで、「移動ボックス（７８）には、前記下部接続端子（７５）を前記上部接続端子（７０）に接続した状態で、前記接続通路（６０）を閉塞する通路閉塞部（９３）が設けられている」とは、下部接続端子（７５）と、上部接続端子（７０）とを接続した際、接続通路（６０）を通路閉塞部（９３）が閉塞するように、通路閉塞部（９３）が、移動ボックス（７８）に形成されていることを意味するものである。具体的には、例えば、通路閉塞部（９３）は、移動ボックス（７８）の下部が、四角形の接続通路（６０）の形状を塞ぐことができるように、接続通路（６０）の形状と整合するような四角形に形成されているようなものである。
【００４９】
（作用）
本発明は、前扉（３）が、上下の２つに分離されて、上扉（３０）及び下扉（４０）を備えている。このため、不正操作者が不正操作のターゲットとして狙う主制御装置（２５）を含む交換ユニット（２）が配置された本体キャビネット（１）の上部を上扉（３０）で閉じた状態で、遊技中、頻繁に保守管理が必要となる払い出し装置（５）を有する本体キャビネット（１）の下部の下扉（４０）だけを開放することが可能となる。そして、このように下扉（４０）だけを開放した状態においても、移動ボックス（７８）の通路閉塞部（９３）が、接続通路（６０）を閉塞しているため、本体キャビネット（１）の下部から、本体キャビネット（１）の上部に向かって、接続通路（６０）を介して、手や、異物を差し込んで、主制御装置（２５）や、リールユニット（２２）を有する交換ユニット（２）への不正操作を防止することができる。
【００５０】
（請求項５）
請求項５記載の発明は、上記した請求項１に記載の発明の特徴点に加え、次の点を特徴とする。
すなわち、前記遊技機は、前記本体キャビネット（１）の裏板（１８）と前記払い出し装置（５）との間に固定され前記払い出し装置（５）と接続がされる集中接続端子（１１０）を備え、前記接続手段（８０）は、前記接続通路（６０）内部を通して、前記リールユニット（２２）及び前記主制御装置（２５）に一端側が接続された特別上部側接続コード（１４０）と、前記接続通路（６０）内部を通すとともに、前記特別上部側接続コード（１４０）の他端側に位置して、前記集中接続端子（１１０）に接続可能な特別上部接続端子（１３０）とを備えたことを特徴とする。
【００５１】
なお、ここで、「前記本体キャビネット（１）の裏板（１８）と前記払い出し装置（５）との間に固定され前記払い出し装置（５）と接続がされる集中接続端子（１１０）を備え」とは、具体的には、例えば、本体キャビネット（１）の中板（１２）の下部の裏板（１８）であって、払い出し装置（５）が載置されている奥側の裏板（１８）に集中接続端子（１１０）が固定されているようなものを含むものである。ここで、裏板（１８）は、本体キャビネット（１）の背面側を構成する板状の部品を意味する。具体的には、本体キャビネット（１）は、図２に示すように、全体形状が正面開口部を有する略箱状であって、底板（１５）、側板（１６）、天板（１７）及び裏板（１８）からなるものである。そして、裏板（１８）は、底板（１５）、側板（１６）及び天板（１７）の背面側の端面に当接して、本体キャビネット（１）の背面側を塞いでいる板状のものである。
【００５２】
（作用）
本発明は、特別上部側接続コード（１４０）及び特別上部接続端子（１３０）により、リールユニット（２２）と集中接続端子（１１０）とが接続され、且つ、主制御装置（２５）と集中接続端子（１１０）とが接続される。そして、かかる特別上部接続端子（１３０）と集中接続端子（１１０）との接続は、集中接続端子（１１０）を固定してある本体キャビネット（１）の裏板（１８）と払い出し装置（５）との間において、行うことができる。これにより、通常、封印等が施されて、容易に取り外すことができない主制御装置（２５）を有する交換ユニット（２）とは、異なり、比較的、取り付けや取り外し作業が容易な払い出し装置（５）を移動することにより、集中接続端子（１１０）を正面側に露出させることができ、接続作業を容易なものにすることができる。
【００５３】
そして、下扉（４０）を開放して本体キャビネット（１）を正面から見ても、集中接続端子（１１０）の前に位置する払い出し装置（５）が邪魔をして、集中接続端子（１１０）を見えないように隠すことができる。また、払い出し装置（５）があるため、集中接続端子（１１０）に手を伸ばして簡単に操作することを防止することができる。これにより、集中接続端子（１１０）への不正操作を防止することが可能となる。
【００５４】
（請求項６）
請求項６記載の発明は、上記した請求項１に記載の発明の特徴点に加え、次の点を特徴とする。
すなわち、前記接続手段（８０）は、前記リールユニット（２２）及び前記主制御装置（２５）に一方の端部を接続した上部側接続コード（１２０）と、前記上部側接続コード（１２０）の他方の端部に設けた上部接続端子（７０）と、前記払い出し装置（５）に一方の端部を接続した下部側接続コード（１２５）と、前記下部側接続コード（１２５）の他方の端部に設けた下部接続端子（７５）とを備え、前記下部接続端子（７５）及び前記上部接続端子（７０）のうち、いずれか一方には、前記下部接続端子（７５）及び前記上部接続端子（７０）のうちいずれか一方を前記接続通路（６０）内の上下方向に案内する移動案内手段（９０）が形成されていることを特徴とする。
【００５５】
本発明は、上部接続端子（７０）と、下部接続端子（７５）とのうち、いずれか一方を移動ボックス（７８）内部に固定しているものである。そして、移動ボックス（７８）に固定していない方は、作業者の手により、移動ボックス（７８）の接続端子に接合するように形成されているものである。
また、ここで、「前記本体キャビネット（１）の中板（１２）より下部側の部品」とは、請求項１の手段で説明したものと同様であって、具体的には、払い出し装置（５）や、電源装置（４）等を意味するものである。
【００５６】
（作用）
本発明は、上部接続端子（７０）と、下部接続端子（７５）とのうち、いずれか一方を、移動ボックス（７８）内部に固定している。このため、かかる固定した接続端子は、中板平面方向に対して移動できず任意に対応できない。しかし、上部接続端子（７０）及び下部接続端子（７５）のうち、移動ボックス（７８）に固定していない方は、作業者が手でもって、移動ボックス（７８）内へ接続することができ、中板平面方向に対して任意に移動できて対応することができる。したがって、本体キャビネット（１）の上部の交換ユニット（２）の設置位置の精度や、移動ボックス（７８）の設置位置の精度が、悪くても、作業者の手で、上部接続端子（７０）及び下部接続端子（７５）を接続することにより、本体キャビネット（１）内部の部品の設置位置のずれによる接続不良の発生を回避することができる。
【００５７】
（請求項７）
請求項７記載の発明は、上記した請求項６に記載の発明の特徴点に加え、次の点を特徴とする。
すなわち、前記下部接続端子（７５）に前記移動案内手段（９０）が形成されていることを特徴とする。
【００５８】
本発明は、下部接続端子（７５）を移動ボックス（７８）内部に固定しているものである。そして、移動ボックス（７８）に固定していない上部接続端子（７０）は、作業者の手により、移動ボックス（７８）の下部接続端子（７５）に接合するように形成されているものである。
（作用）
本発明は、下部接続端子（７５）に移動案内手段（９０）が形成されている。このため、移動案内手段（９０）が形成されていないない上部接続端子（７０）は、作業者が手でもって、下部接続端子（７５）へ接続する。したがって、本体キャビネット（１）の上部の交換ユニット（２）の設置位置の精度が、悪くても、作業者の手で、上部接続端子（７０）を下部接続端子（７５）に接続することにより、本体キャビネット（１）内部の部品の設置位置のずれによる接続不良の発生を回避することができる。
【００５９】
すなわち、下部接続端子（７５）を上方向に移動した後、下部接続端子（７５）に対して上から上部接続端子（７０）を接続することができるため、配線作業を確認しつつ行うことができる。
（請求項８）
請求項８記載の発明は、上記した請求項７に記載の発明の特徴点に加え、次の点を特徴とする。
【００６０】
すなわち、前記前扉（３）は、前記本体キャビネット（１）の前記中板（１２）より上部を開閉自在に塞ぐための上扉（３０）と、前記本体キャビネット（１）の前記中板（１２）より下部を開閉自在に塞ぐための下扉（４０）とを備え、前記移動案内手段（９０）には、前記下部接続端子（７５）を前記接続通路（６０）内の上方向に案内した状態でかつ前記上部接続端子（７０）と接続した状態において前記接続通路（６０）を閉塞する通路閉塞部（９３）が設けられていることを特徴とする。
【００６１】
本発明は、下部接続端子（７５）を接続通路（６０）の上方向に案内した状態で、且つ下部接続端子（７５）と、上部接続端子（７０）とを接続した状態において、接続通路（６０）を通路閉塞部（９３）が閉塞するように、通路閉塞部（９３）が、移動ボックス（７８）に形成されていることを意味するものである。具体的には、例えば、通路閉塞部（９３）は、移動ボックス（７８）の下部が、四角形の接続通路（６０）の形状を塞ぐことができるように、接続通路（６０）の形状と整合するような四角形に形成されているようなものである。
【００６２】
（作用）
本発明は、前扉（３）が、上下の２つに分離されて、上扉（３０）及び下扉（４０）を備えている。このため、不正操作者が不正操作のターゲットとして狙う主制御装置（２５）を含む交換ユニット（２）が配置された本体キャビネット（１）の上部を上扉（３０）で閉じた状態で、遊技中、頻繁に保守管理が必要となる払い出し装置（５）を有する本体キャビネット（１）の下部の下扉（４０）だけを開放することが可能となる。そして、このように下扉（４０）だけを開放した状態においても、移動ボックス（７８）の通路閉塞部（９３）が、接続通路（６０）を閉塞しているため、本体キャビネット（１）の下部から、本体キャビネット（１）の上部に向かって、接続通路（６０）を介して、手や、異物を差し込んで、主制御装置（２５）や、リールユニット（２２）を有する交換ユニット（２）への不正操作を防止することができる。
【００６３】
【発明の実施の形態】
（第一の実施の形態）
（図面の説明）
図１乃至図８は、本発明の第一の実施の形態を示すものである。
図１は遊技機の縦断面図、図２は本体キャビネットの外観斜視図、図３及び図４上部接続端子、下部接続端子、接続通路及び移動案内手段であって、図３は上部接続端子と、下部接続端子とを接続していない状態の外観斜視図、図４は上部接続端子と、下部接続端子とを接続している状態の外観斜視図、図５及び図６は上部接続端子、下部接続端子、接続通路及び移動案内手段であって、図５は上部接続端子と、下部接続端子とを接続していない状態の縦断面正面図、図６は、上部接続端子と、下部接続端子とを接続している状態の縦断面正面図、図７及び図８は遊技機の分解斜視図をそれぞれ示すものである。
【００６４】
本実施の形態における遊技機は、具体的には、スロットマシンＳであって、図１に示すように、大きく分けて、正面側に開口部１１を有する本体キャビネット１、本体キャビネット１内部に着脱自在に設けられる交換ユニット２、本体キャビネット１の正面開口部を開閉可能に塞ぐための前扉３とから構成されている。そして、前記前扉３は、本体キャビネット１の開口上部１３を開閉可能に塞ぐための上扉３０と、本体キャビネット１の開口下部１４を開閉可能に塞ぐための下扉４０とを備えている。
【００６５】
（本体キャビネット１）
本体キャビネット１は、底板１５、側板１６、天板１７及び裏板１８からなる正面側に開口する筺体であり、高さ方向略中央部には、二つの側板１６の間に水平方向に中板１２が渡してある。そして、この中板１２の下面には電源装置４が設けられ、底板１５には払い出し装置５が固定されている。
【００６６】
ここで、電源装置４は、中板１２の下面に、取り付け板等を介して取り付けられており、遊技店側が種々の設定を行うためのスイッチ等、店操作部を有している。
上記電源装置４及び払い出し装置５は、交換ユニット２の交換に際し、必ずしも交換する必要のないものであり、交換時には設置されたままにしておけるようになっているものである。
【００６７】
また、側板１６の正面左側の下部には、前記下扉４０を係合させ、回転自在に支持するための本体係合部５３が、上下方向に間隔をおいて二つ設けられている。
さらに、本体係合部５３の対向側の側板１６には、下扉４０を閉めた際、下扉４０をロックするための突出片（図示せず）が、上下方向に間隔をおいて二つ設けられている。
【００６８】
前記中板１２の手前側の向かって左側には、中板１２の上部、すなわち開口上部１３と、中板１２の下部、すなわち開口下部１４との間を上下方向に連通する接続通路６０を備えている。この接続通路６０は、中板１２を上下方向に貫通している全体形状が四角形状のものである。
（交換ユニット２）
交換ユニット２は、種々の部品を設置あるいは固定するための四角枠状の部材を組み合わせた枠状支持体２１と、この枠状支持体２１に固定されたリールユニット２２及び基板ユニット２４とから形成されている。
【００６９】
ここで、リールユニット２２は、周囲に複数の図柄を表示した複数の回転リール２３と、特に図示しないが、回転リール２３を回転させるための駆動モータを有している。また、前記基板ユニット２４には、遊技及びスロットマシンＳの作動を制御するための主制御回路基板２５と、各種演出を行うための副制御回路基板が含まれている。
【００７０】
前記枠状支持体２１の正面左側の縦枠には、前記上扉３０を回転自在に係合するための枠体係合部５１が、上下方向に間隔をおいて二つ設けられている。
さらに、枠体係合部５１の対向側の縦枠には、上扉３０を閉めた際、上扉３０をロックするための突出片が、上下方向に間隔をおいて二つ設けられている。
交換ユニット２は、中板１２の上に乗せ、本体キャビネット１の開口上部１３内部に収納されるものである。
【００７１】
この交換ユニット２と、中板１２の下部側に配置した部品（具体的には、払い出し装置５や、電源装置４）との間の電気的やり取りを行うための接続手段８０を形成している。なお、この接続手段８０は、電源装置４と、払い出し装置５との間の電気的やり取りも行っているものである。
（上扉３０）
上扉３０は、交換ユニット２の枠状支持体２１に回転自在かつロック可能に形成されている板状の扉であり、略中央部に前記回転リール２３の図柄を正面側から見ることができる図柄表示窓３１を有し、周囲に飾り部３３を設けてある。そして、種々の表示を行うための表示装置３２が設けられているものである。
【００７２】
ここで、前記飾り部３３は、ランプ等により形成しても良く、入賞の報知その他の演出時にランプが点滅するようにしてもよい。また、前記表示装置３２は、７セグメントＬＥＤ等により数字を表示するものや、特に図示しないが、画像を表示するための液晶画面あるいはＣＲＴなどとしてもよい。
さらに、図７に示すように、上扉３０の左側の裏面には、前記枠体係合部５１に係合可能な上扉係合部５２が上下方向に間隔をおいて二つ設けられている。そして、上扉３０の右側の裏面には、ロック機構が設けられている。
【００７３】
（下扉４０）
下扉４０は、本体キャビネット１の開口下部１４を塞ぐための、上扉３０よりも幅厚の扉であり、本体キャビネット１の側板１６に回転自在かつロック可能に形成されているものである。
下扉４０の上部は、スロットマシンＳを作動させるための操作部４１となっており、下扉４０の上面は、閉扉時においては、上扉３０よりも前側に突出するようになっている。また、下部には払い出されたメダルを溜めておくためのメダル受け４３が形成されており、下扉４０の略中央部には、遊技内容その他の表示をするための前パネル５０が嵌め込まれている。
【００７４】
前記操作部４１としては、下扉４０の上面右端にはメダル投入口４２及び上面左側に設けられたベットスイッチ、正面側にはスタートスイッチ及びストップスイッチ及び鍵穴４４が設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０のロックが解除されるものである。
【００７５】
さらに、図７に示すように、下扉４０の裏面側には、前記メダル投入口４２から投入されたメダルを誘導しながらメダルの正偽を判断するためのメダルセレクター４８が設けられている。そして、下扉４０の裏面下部の左右には、種々の音声を出力するためのスピーカ４９が設けられている。
また、下扉４０の左側の裏面には、前記本体係合部５３と係合可能な下扉係合部５４が上下方向に間隔をおいて二つ設けられている。そして、下扉４０の右側の裏面には、ロック機構が設けられている。
【００７６】
（接続手段８０）
上記接続手段８０は、交換ユニット２と、払い出し装置５との間の電気的やり取りを行うためのものである。さらに、上記接続手段８０は、交換ユニット２と、電源装置４との間の電気的やり取りも行うものである。そして、この接続手段８０は、いわゆるハーネスと呼ばれるような接続コード８１を有するものである。
【００７７】
なお、この接続手段８０は、電源装置４と、払い出し装置５との間の電気的やり取りも行っているものであり、また、この接続手段８０は、交換ユニット２内部の部品間同士、すなわちリールユニット２２及び主制御装置２５の間同士の電気的やり取りも行っているものである。
具体的には、接続手段８０は、リールユニット２２及び前記主制御装置２５に一方の端部を接続した上部側接続コード１２０と、上部側接続コード１２０の他方の端部に設けた上部接続端子７０と、中板１２より下部側の部品に一方の端部を接続した下部側接続コード１２５と、下部側接続コード１２５の他方の端部が接続されて、各部品間同士の配線が行われた配線部１００と、配線部１００に接続されて、上部接続端子７０に接続可能な下部接続端子７５とを備えている。
【００７８】
前記上部側接続コード１２０は、リールユニット２２に一方の端部を接続したリールユニット側接続コード１２１と、主制御装置２５に一方の端部を接続した主制御装置側接続コード１２２との２本からなるものである。
前記上部接続端子７０は、リールユニット側接続コード１２１の他方の端部に設けたリールユニット上部接続端子７１と、主制御装置側接続コード１２２の他方の端部に設けた主制御装置上部接続端子７２とを備えている。そして、これらの上部接続端子７０は、交換ユニット２を本体キャビネット１に装着した際に接続通路６０に対応する位置に臨むように形成されている。
【００７９】
前記下部側接続コード１２５は、払い出し装置５に一方の端部を接続したホッパー側接続コード１２６と、電源装置４に一方の端部を接続した電源側接続コード１２７とを備えている。このホッパー側接続コード１２６及び電源側接続コード１２７は、図３に示すように、下部接続端子７５を有する移動ボックス７８の下方から、配線部１００に接続されているものである。
【００８０】
前記移動ボックス７８は、全体形状が上方に向かって開口する四角箱状のものであって、その内部に、下部接続端子７５が上方の上部接続端子７０に向かって臨むように配置されている。そして、移動ボックス７８の左右の外側の両側面には、外方に向かって突出する移動案内突片９２が形成されている。また、移動ボックス７８の下部には、下部接続端子７５を上部接続端子７０に接続した状態で、接続通路６０を閉塞する通路閉塞部９３を設けている。具体的には、通路閉塞部９３は、移動ボックス７８の下部に位置して、その下部形状が、接続通路６０の開閉している部分を閉じるような、接続通路６０の内面形状と整合するような長方形状に形成されているものである。すなわち、下部接続端子７５と上部接続端子７０とを接続した状態において、通路閉塞部９３が接続通路６０の内部に入り込み、両者の間の隙間が、ほとんど無く、異物が差し込まれないように形成されている。なお、移動ボックス７８の通路閉塞部９３には、移動ボックス７８を上方に押し上げた際、案内レール９１が貫通可能なレール通し孔９４が形成されている。
【００８１】
前記配線部１００は、各部品間同士の配線が行われているものである。すなわち、この配線部１００には、ホッパー側接続コード１２６と、電源側接続コード１２７とが、下方から接続されている。そして、この配線部１００には、リールユニット側接続コード１２１が、リールユニット上部接続端子７１及びリールユニット下部接続端子７６を介して接続されている。そして、この配線部１００には、主制御装置側接続コード１２２が、主制御装置上部接続端子７２及び主制御装置下部接続端子７７を介して接続されている。すなわち、結果として、この配線部１００には、リールユニット側接続コード１２１と、主制御装置側接続コード１２２と、ホッパー側接続コード１２６と、電源側接続コード１２７との４本が、結果として、接続されているものである。そして、この配線部１００の内部において、リールユニット２２、主制御装置２５と、電源装置４と、払い出し装置５との各部品間同士で、入出力信号や供給電力の入出力が可能となるように配線されているものである。具体的には、主制御装置２５からの制御信号が、リールユニット２２、払い出し装置５、電源装置４に送出できるように内部配線されている。また、電源装置４からの電源を、リールユニット２２、払い出し装置５、主制御装置２５へ供給できるように内部配線されている。
【００８２】
前記下部接続端子７５は、上部側でリールユニット上部接続端子７１に接続可能なリールユニット下部接続端子７６と、上部側で主制御装置上部接続端子７２に接続可能な主制御装置下部接続端子７７とを備えている。
そして、リールユニット下部接続端子７６及び主制御装置下部接続端子７７は、いずれも、それらの下部側で、配線部１００に接続されているものである。
【００８３】
そして、下部接続端子７５は、上部接続端子７０との接続位置が上下方向に整合するような接続通路６０の下に形成されているものである。すなわち、下部接続端子７５は、交換ユニット２を本体キャビネット１の予め定めた所定の位置にクリップ等の固定装置を介して装着した際に下部接続端子７５を上方向に動かして交換ユニット２の上部接続端子７０と整合するように接続通路６０の下部に形成されている。
【００８４】
具体的には、リールユニット下部接続端子７６は、上方に向かって延びる８本のピンが形成されてあり、リールユニット上部接続端子７１は、かかる８本のピンが挿入することにより電気的に接続状態となるピン孔が形成されている。また、同様に、主制御装置下部接続端子７７は、上方に向かって延びる８本のピンが形成されてあり、主制御装置上部接続端子７２は、かかる８本のピンが挿入することにより電気的に接続状態となるピン孔が形成されている。
【００８５】
もちろん、このピンと、ピン孔との関係は、特にこれに限定されるものではなく、リールユニット上部接続端子７１及び主制御装置上部接続端子７２側にピンが形成され、リールユニット下部接続端子７６及び主制御装置下部接続端子７７に、かかるピンが挿入可能なピン孔を形成しても良いものである。また、ピンの数も８本に限定されるものではなく、８本以外の数値でも良いものである。
【００８６】
そして、上述した接続手段８０は、前記移動ボックス７８を接続通路６０内の上下方向に案内する移動案内手段９０を設けている。
（移動案内手段９０）
上記移動案内手段９０は、下部接続端子７５を内部に収納した移動ボックス７８を上下方向に向かって移動させるために、移動ボックス７８を接続通路６０内の上下方向に案内するものである。
【００８７】
前記移動案内手段９０は、接続通路６０内に設けられ、移動ボックス７８を接続通路６０の下部で保持するとともに、移動ボックス７８を上下方向に向かって案内するための２個の案内レール９１と、移動ボックス７８から突出するとともに案内レール９１に沿って移動可能な２個の移動案内突片９２とを備えている。
前記案内レール９１は、図３に示すように、接続通路６０の内面に固定されているものであって、極太の針金状のものを、全体形状が略Ｕ字状となるように下方に向かって形成されているものである。そして、この案内レール９１は、接続通路６０の２つの対向する内面にそれぞれ設けられ、合計２個、形成されている。この案内レール９１は、かかるＵ字状の内部を、移動案内突片９２が上下方向に移動可能に形成されている。そして、かかる２個の案内レール９１により、移動ボックス７８の左右の側面から突出する移動案内突片９２を案内する。なお、移動ボックス７８を上方に押し上げた際、案内レール９１は、通路閉塞部９３に上下方向に貫通するレール通し孔９４に差し込まれるものである。
【００８８】
前記移動案内突片９２は、移動ボックス７８の左右の側面から横方向に突出する円柱状の軸部９５と、その軸部９５の端面に、同一の中心軸を有する円板板の頭部９６とからなるものである。前記軸部９５の外周の直径は、Ｕ字状の前記案内レール９１のＵ字形状の平行部分の幅よりも小さくなるように設定されている。そして、前記頭部９６の外周の直径は、前記軸部９５よりも大きく、且つ、Ｕ字状の前記案内レール９１のＵ字形状の平行部分の幅よりも大きくなるように設定されている。すなわち、案内レール９１を間に挟んで、案内レール９１の一方側に移動案内突片９２の頭部９６を配置し、案内レール９１の他方側に移動ボックス７８を配置して、かかる頭部９６と、移動ボックス７８とが、案内レール９１を挟んで軸部９５により結ばれるように形成されている。そして、頭部９６の直径が、案内レール９１のＵ字状の幅より大きくなるように形成されているため、上述したように配置すると、案内レール９１から移動ボックス７８の移動案内突片９２が外れることはない。そして、案内レール９１の最下端に移動ボックス７８が移動すると、案内レール９１のＵ字状の部分に移動案内突片９２が保持されるものである。
【００８９】
（作用及び効果）
本実施の形態は、交換ユニット２と、払い出し装置５との間の電気的接続は、接続コード８１を有する接続手段８０を、接続通路６０に通すことにより、この接続通路６０を介して行われている。そして、交換ユニット２と、電源装置４との間の電気的接続も、接続コード８１を有する接続手段８０を、接続通路６０に通すことにより、この接続通路６０を介して行われている。このため、かかる接続手段８０の接続コード８１を、本体キャビネット１の内面周囲に沿って這わせて、回り込ませる必要がなく、接続手段８０を各部品間同士の略最短経路で結ぶことができる。これにより、接続手段８０の合計長さを短いものにすることができ、接続コード８１を有する接続手段８０が途中でよじれたり、絡み合いが発生するようなことを抑えることができる。
【００９０】
また、接続手段８０の合計長さを短くすることができて、接続手段８０に必要な費用も低減することができ、遊技機の製造コストも低くすることができる。また、接続手段８０の合計長さを短くすることにより、入出力信号や供給電力等の電気的やり取りの安定化を図ることができる。さらに、接続手段８０を本体キャビネット１の内部の中央近くを結ぶため、本体キャビネット１の内面近くの外部に近い距離に接続手段８０を配置するようなものと比較して、接続手段８０が外部機器からの電磁波等の影響を受けにくくすることができ、接続手段８０を用いた電気的やり取りをより安定したものにすることができる。したがって、いわゆる電波ゴトと呼ばれる不正操作を回避することが可能となるものである。
【００９１】
また、接続手段８０を本体キャビネット１の内面近くに配置せずに、本体キャビネット１の内部の中央近くに通すことが可能となる。このため、交換ユニット２の交換作業において、交換ユニット２の取り付け、取り外し作業の際、本体キャビネット１の内面と、交換ユニット２との間で接続手段８０が押しつぶされて断線するようなことを回避することができる。
【００９２】
本実施の形態は、上部接続端子７０を、交換ユニット２の下面の接続通路６０に対応する位置に、接続通路６０に向かって臨むように形成している。そして、下部接続端子７５を、上部接続端子７０との接続位置が上下方向に整合するような接続通路６０の下に形成している。すなわち、リールユニット下部接続端子７６と、リールユニット上部接続端子７１とが、接続通路６０の上下方向に整合するような位置に、配置されている。そして、主制御装置下部接続端子７７と、主制御装置上部接続端子７２とが、接続通路６０の上下方向に整合するような位置に、配置されている。
【００９３】
このため、移動ボックス７８を上方に移動させて、下部接続端子７５を上部接続端子７０側の上方向に移動させて両者を近づけることにより、上部接続端子７０と、下部接続端子７５との両者を接続することができる。すなわち、移動ボックス７８を上方に移動させて、リールユニット下部接続端子７６を、リールユニット上部接続端子７１との両者を接続することができ、また、主制御装置下部接続端子７７と、主制御装置上部接続端子７２との両者を接続することができる。このように、上部接続端子７０と、下部接続端子７５との両者が、予め上下方向に整合するように配置されているため、いずれの接続端子を、相手側のどの接続端子に接続すれば良いのか、迷うことなく、接続作業を行うことができる。すなわち、最初の移動ボックス７８内部へのリールユニット下部接続端子７６及び主制御装置下部接続端子７７の配置位置と、リールユニット上部接続端子７１及び主制御装置上部接続端子７２の配置位置さえ、製造工場において、熟練した取り付け作業者により、予め正確になされていれば、全国各地の遊技ホールにおける交換ユニット２の取り付け作業での接続作業において、作業に熟練していない者が行っても、リールユニット下部接続端子７６を、主制御装置上部接続端子７２に差し込むようなことは、発生しない。これにより、かかる接続作業を何の迷いもなくスムーズに行うことができて、交換作業を効率的に行うことができる。また、かかる接続作業において、判断の違いにより接続を誤る可能性が無いため、誤配線による電子部品の故障の発生を回避することができる。したがって、全国各地での遊技ホールにおける交換ユニット２の取り付け作業において、作業者が、接続作業に熟練していないような場合であっても、接続端子を入れ替えて接続するような誤配線を無くすことができる。
【００９４】
また、本実施の形態は、下部接続端子７５を内部に収納した移動ボックス７８を上方に向かって移動させると、移動ボックス７８から突出する移動案内突片９２が、接続通路６０内に設けられた案内レール９１に沿って、上方に向かって移動する。これにより、移動ボックス７８に収納した下部接続端子７５を、上部接続端子７０に向かって、予め定めた接続通路６０内をスムーズに上方に向かって案内することができる。これにより、下部接続端子７５と、上部接続端子７０との接続作業を、よりスムーズに確実なものにすることができる。
【００９５】
また、下部接続端子７５と上部接続端子７０とが既に接続されている状態において、移動ボックス７８を下方に向かって移動させると、移動ボックス７８から突出する移動案内突片９２が、接続通路６０内に設けられた案内レール９１に沿って、下方に向かって移動する。これにより、移動ボックス７８内に収納した下部接続端子７５を、上部接続端子７０から取り外す方向に向かって、予め定めた接続通路６０内をスムーズに下方に向かって案内することができる。これにより、下部接続端子７５と、上部接続端子７０との取り外し作業を、よりスムーズに確実なものにすることができる。
【００９６】
このように、移動ボックス７８の両側から突出する移動案内突片９２を、それぞれの案内レール９１によって、拘束した状態で移動或いは保持することができるため、移動ボックス７８が１８０度回転して、互いに異なる組み合わせの接続端子同士が、接続されるようなことを回避することができる。また、案内レール９１により、移動ボックス７８の移動が拘束されているため、接続作業において、移動ボックス７８が斜めから差し込まれて、接続端子のピンや、その周囲を変形させるようなことを、回避することができ、安全で確実な接続作業を行うことができる。また、接続端子同士を取り外した状態で、案内レール９１の下部に、移動ボックス７８が保持されるため、非接続状態においても、かかる移動ボックス７８等が、開口下部１４の底板１５等のスペースを取ることもなくて、作業の邪魔にならず、作業効率を向上させることができる。
【００９７】
本実施の形態に係る遊技機は、移動ボックス７８の下部に通路閉塞部９３を設けている。このため、不正操作者が不正操作のターゲットとして狙う主制御装置２５を含む交換ユニット２が配置された本体キャビネット１の開口上部１３を上扉３０で閉じた状態で、遊技中、遊技メダル補給等の保守管理のために払い出し装置５を有する本体キャビネット１の下部の下扉４０だけを開放しても、通路閉塞部９３を介して、本体キャビネット１の下部から、本体キャビネット１の上部に向かって、手や、異物を差し込むことができない。これにより、かかる不正操作を防止することができる。
【００９８】
（第二の実施の形態）
図９及び図１０は、本発明の第二の実施の形態であって、図９は上部接続端子と、下部接続端子とを接続していない状態の縦断面正面図、図１０は上部接続端子と、下部接続端子とを接続している状態の縦断面正面図をそれぞれ示すものである。
【００９９】
本実施の形態は、下部接続端子７５は、移動ボックス７８内部に固定されているが、上部接続端子７０は、枠状支持体２１に固定されてなく、接続コード８１の長さの範囲内でフレキシブルに自由に可動できるものである。すなわち、上部接続端子７０は、交換作業者の手によって、下部接続端子７５にそれぞれ接続するように形成されているものである。なお、それ以外の構成は、第一の実施の形態で説明したものと同様である。
【０１００】
具体的には、接続手段８０は、リールユニット２２及び主制御装置２５に一方の端部を接続した上部側接続コード１２０と、上部側接続コード１２０の他方の端部に設けた上部接続端子７０と、中板１２より下部側の部品に一方の端部を接続した下部側接続コード１２５と、下部側接続コード１２５の他方の端部が接続されて、上部接続端子７０に接続可能な下部接続端子７５と、接続手段８０の下部接続端子７５には、下部接続端子７５を内部に固定した移動ボックス７８を上下方向に向かって移動させるために、移動ボックス７８を接続通路６０内の上下方向に案内する移動案内手段９０とを備えている。すなわち、下部接続端子７５に、下部接続端子７５を上下方向に移動可能な移動案内手段９０が形成されているものである。
【０１０１】
前記上部側接続コード１２０は、リールユニット２２に一方の端部を接続したリールユニット側接続コード１２１と、主制御装置２５に一方の端部を接続した主制御装置側接続コード１２２との２本からなるものである。
前記上部接続端子７０は、リールユニット側接続コード１２１の他方の端部に設けたリールユニット上部接続端子７１と、主制御装置側接続コード１２２の他方の端部に設けた主制御装置上部接続端子７２とを備えている。そして、これらの上部接続端子７０は、いずれも上部側接続コード１２０に接続されただけのフレキシブルなもので、それぞれ自由に移動できる状態となっている。前記上部接続端子７０及び前記上部側接続コード１２０を接続通路６０へ通すために枠状支持体２１の接続通路６０と対応する位置には、表裏に開口する枠状支持体開口部１５０が形成されている。
【０１０２】
前記下部側接続コード１２５は、払い出し装置５に一方の端部を接続したホッパー側接続コード１２６と、電源装置４に一方の端部を接続した電源側接続コード１２７とを備えている。このホッパー側接続コード１２６及び電源側接続コード１２７は、図９及び図１０に示すように、下部接続端子７５を有する移動ボックス７８の下方から、配線部１００に接続されているものである。また、移動ボックス７８は、第一の実施の形態で説明したものと同様であって、その内部にリールユニット下部接続端子７６及び主制御装置下部接続端子７７からなる下部接続端子７５が、所定の位置に固定されているものである。そして、かかる移動ボックス７８は、第一の実施の形態で説明した移動案内手段９０を備えている。すなわち、移動案内手段９０は、下部接続端子７５を内部に固定した移動ボックス７８を上下方向に向かって移動させるために、移動ボックス７８を接続通路６０内の上下方向に案内するものである。
【０１０３】
上述したように、本実施の形態は、下部接続端子７５を移動ボックス７８内部に固定しているものであって、移動ボックス７８に固定していない上部接続端子７０は、作業者の手により、枠状支持体開口部１５０及び接続通路６０を介して、上方に移動した移動ボックス７８の下部接続端子７５に接合するように形成されている。
そして、移動案内手段９０には、図１０に示すように、下部接続端子７５を接続通路６０内の上方向に案内した状態でかつ上部接続端子７０と接続した状態において接続通路６０を閉塞する通路閉塞部９３が設けられている。具体的には、通路閉塞部９３は、図９及び図１０に示すように、移動ボックス７８が中板１２の位置にまで、上がった状態で、下面移動ボックス７８の下部が、四角形の接続通路６０の上下に開口する箇所を塞ぐことができるように、接続通路６０の四角形状と整合するような四角形に形成されている。
【０１０４】
本実施の形態によれば、本体キャビネット１の上部の交換ユニット２の設置位置の精度が、悪くても、作業者の手で、上部接続端子７０を下部接続端子７５に接続することにより、本体キャビネット１内部の部品の設置位置のずれによる接続不良の発生を回避することができる。
なお、本実施の形態では、下部接続端子７５を、移動ボックス７８内に固定し、かかる移動ボックス７８を移動案内手段９０により上下方向に向かって移動できるように接続通路６０内の上下方向に案内するように形成されていたが、特に、これに限定されるものではない。例えば、上部接続端子７０を、移動ボックス７８内に固定し、かかる移動ボックス７８を移動案内手段９０により上下方向に向かって移動できるように接続通路６０内の上下方向に案内するように形成しても良いものである。かかる場合、案内レール９１は、中板１２の接続通路６０の縁から下方に形成されるのではなく、交換ユニット２の枠状支持体２１の枠状支持体開口部１５０から交換ユニット２の内部空間内の上方に向かって設けられているものである。そして、かかる案内レール９１の上部に保持された移動ボックス７８を、接続作業の際、下方に向かって下げることで、移動ボックス７８内の上部接続端子７０に、下部接続端子７５を接続するものである。なお、その際の移動ボックス７８を案内レール９１の途中に保持する保持手段は、特に図示しないがクリップ等を案内レール９１の途中に挟んで、移動ボックス７８が下方に落下しないようにして保持しているものである。もちろん、かかる保持手段に限定されるものではなく、移動ボックス７８を上方で保持することができるように案内レール９１を変形させても良い。
【０１０５】
そして、上部接続端子７０を移動ボックス７８内に固定し、中板１２の下方の払い出し装置５や電源装置４からの下部側接続コード１２５の端の下部接続端子７５が、フレキシブルに自由に移動可能な状態としているものである。そして、交換作業者は、かかる下部接続端子７５を手で持って、上部接続端子７０に１個、１個接続するものである。かかる場合でも、上述した実施の形態と同様の作用及び効果を奏することができる。
【０１０６】
そして、本実施の形態は、前扉３が、上下の２つに分離されて、上扉３０及び下扉４０を備えている。このため、不正操作者が不正操作のターゲットとして狙う主制御装置２５を含む交換ユニット２が配置された本体キャビネット１の上部を上扉３０で閉じた状態で、遊技中、頻繁に保守管理が必要となる払い出し装置５を有する本体キャビネット１の下部の下扉４０だけを開放することが可能となる。そして、このように下扉４０だけを開放した状態においても、移動ボックス７８の通路閉塞部９３が、接続通路６０を閉塞しているため、本体キャビネット１の下部から、本体キャビネット１の上部に向かって、接続通路６０を介して、手や、異物を差し込んで、主制御装置２５や、リールユニット２２を有する交換ユニット２への不正操作を防止することができる。
【０１０７】
（第三の実施の形態）
図１１は、本発明の第三の実施の形態であって、遊技機の縦断面図を示すものである。
本実施の形態に係る遊技機は、第一の実施の形態と同様に、中板１２の上部に配置した交換ユニット２と、中板１２の下部に配置した払い出し装置５や、電源装置４の部品との間の電気的やり取りを行うための接続コード８１を有する接続手段８０を備えているものである。そして、第一の実施の形態と同様に、中板１２には、上下方向に貫通する接続通路６０を設け、中板１２の上下間の電気的な接続に関して、接続コード８１等を有する接続手段８０を、かかる接続通路６０に通すことにより、この接続通路６０を介して行われているものである。
【０１０８】
そして、本実施の形態に係る遊技機は、本体キャビネット１の裏板１８と、払い出し装置５との間に固定され、払い出し装置５等が接続される集中接続端子１１０を備えている。すなわち、この集中接続端子１１０は、中板１２の下部の払い出し装置５の奥側の裏板１８に固定されてある。そして、この集中接続端子１１０は、その内部で部品間同士の所定の配線が行われているものである。
【０１０９】
そして、接続手段８０は、中板１２の接続通路６０の内部を通して、交換ユニット２のリールユニット２２及び主制御装置２５に一端側が接続された特別上部側接続コード１４０と、中板１２の接続通路６０の内部を通すとともに、特別上部側接続コード１４０の他端側に位置して、集中接続端子１１０に接続可能な特別上部接続端子１３０と、中板１２より下部側の部品に一端側が接続された特別下部側接続コード１４５と、前記特別下部側接続コード１４５の他端側に位置して、集中接続端子１１０に接続可能な特別下部接続端子１３５とを備えている。
【０１１０】
具体的には、集中接続端子１１０は、開口下部１４の裏板１８の内面に、具体的には、払い出し装置５が収納される奥側に、接続端子が手前側に向かって臨むように、固定されている。そして、集中接続端子１１０は、主制御装置２５から延びる特別主制御装置側接続コード１４２の特別上部接続端子１３０と、リールユニット２２から延びる特別リールユニット側接続コード１４１の特別上部接続端子１３０と、払い出し装置５から延びる特別ホッパー側接続コード１４６の特別下部接続端子１３５と、電源装置４から延びる特別電源側接続コード１４７の特別下部接続端子１３５とが、差し込まれて、接続されるものである。そして、集中接続端子１１０の内部配線は、電源装置４からの電源が、リールユニット２２、主制御装置２５及び払い出し装置５へ、供給可能となるように設定されている。また、集中接続端子１１０の内部配線は、主制御装置２５からの制御信号が、リールユニット２２や、電源装置４や、払い出し装置５へ入出力可能となるように設定されている。
【０１１１】
前記特別上部側接続コード１４０は、主制御装置２５に一端側が接続された特別主制御装置側接続コード１４２と、リールユニット２２に一端側が接続された特別リールユニット側接続コード１４１とを備えている。そして、特別主制御装置側接続コード１４２及び特別リールユニット側接続コード１４１のそれぞれの他端側には、中板１２の接続通路６０の内部を通すとともに、集中接続端子１１０に接続可能な特別上部接続端子１３０がそれぞれ形成されている。
【０１１２】
前記特別下部側接続コード１４５は、払い出し装置５に一端側が接続された特別ホッパー側接続コード１４６と、電源装置４に一端側が接続された特別電源側接続コード１４７とを備えている。そして、特別ホッパー側接続コード１４６及び特別電源側接続コード１４７のそれぞれの他端側には、集中接続端子１１０に接続可能な特別下部接続端子１３５がそれぞれ形成されている。
【０１１３】
上記特別上部接続端子１３０及び特別下部接続端子１３５は、特に図示していないが、第一の実施の形態と同様に、外方に向かって延びる８本の円柱状のピンが形成されてあり、それらが差し込まれる集中接続端子１１０には、かかる８本のピンが挿入することにより電気的に接続状態となるピン孔が形成されている。もちろん、このピンと、ピン孔との関係は、特にこれに限定されるものではなく、集中接続端子１１０側にピンが形成され、特別上部接続端子１３０及び特別下部接続端子１３５に、かかるピンが挿入可能なピン孔を形成しても良いものである。また、ピンの数も８本に限定されるものではなく、８本以外の数値でも良いものである。
【０１１４】
（作用及び効果）
本実施の形態は、集中接続端子１１０が、中板１２より下部の払い出し装置５の奥側の裏板１８の内面に固定されている。そして、中板１２より上部に配置した交換ユニット２と、中板１２より下部に配置した部品との間の電気的接続は、この中板１２より下部に配置した集中接続端子１１０を介して行われる。すなわち、特別上部側接続コード１４０及び特別上部接続端子１３０により、リールユニット２２と集中接続端子１１０とが接続され、主制御装置２５と集中接続端子１１０とが接続される。更に、具体的には、特別リールユニット側接続コード１４１及びその特別上部接続端子１３０により、リールユニット２２と集中接続端子１１０とが接続される。そして、特別主制御装置側接続コード１４２及びその特別上部接続端子１３０により、主制御装置２５と集中接続端子１１０とが接続される。そして、特別下部側接続コード１４５及び特別下部接続端子１３５により、中板１２より下部側の部品と、集中接続端子１１０とが接続される。具体的には、特別ホッパー側接続コード１４６及びその特別下部接続端子１３５により、払い出し装置５と集中接続端子１１０とが接続される。そして、特別電源側接続コード１４７及びその特別下部接続端子１３５により、電源装置４と集中接続端子１１０とが接続される。
【０１１５】
そして、かかる集中接続端子１１０の内部の所定の配線により、リールユニット２２と、主制御装置２５と、払い出し装置５と、電源装置４とが、接続される。そして、かかる特別上部接続端子１３０と集中接続端子１１０との接続や、特別下部接続端子１３５と集中接続端子１１０との接続は、中板１２の下部の本体キャビネット１内部において、行うことができる。これにより、通常、封印等が施されて、容易に取り外すことができない主制御装置２５を有する交換ユニット２とは、異なり、封印等を行わずに、比較的、取り付けや取り外し作業が容易な払い出し装置５を移動することにより、接続作業を容易なものにすることができる。
【０１１６】
さらに、集中接続端子１１０は、中板１２の下部の払い出し装置５の奥側に設けてある。このため、下扉４０を開放して本体キャビネット１を正面から見ても、集中接続端子１１０の前に位置する払い出し装置５が邪魔をして、集中接続端子１１０を見えないように隠すことができる。また、払い出し装置５があるため、本体キャビネット１の正面開口部側から奥の集中接続端子１１０に手を伸ばして簡単に操作することを防止することができる。これにより、集中接続端子１１０への不正操作を防止することが可能となり、いわゆるゴト防止対策となる。
【０１１７】
【発明の効果】
本発明は、以上のように構成されているので、以下に記載されるような効果を奏する。
（請求項１）
請求項１記載の発明によれば、次のような効果を奏する。
【０１１８】
すなわち、請求項１記載の発明によれば、接続コードを有す接続手段を本体キャビネットの内部側面に沿って這わせることがないので、接続手段の長さを短くすることができて、接続手段が途中でよじれたり、絡み合いが発生するようなことを抑え、また、交換作業の際、本体キャビネットの内面と、交換ユニット等の他の部品との間で接続手段が押しつぶされて、或いは誤って無理な力で引っ張って断線するようなことを回避することができるようにした遊技機を提供することができる。
【０１１９】
（請求項２）
請求項２記載の発明によれば、上記した請求項１記載の発明の効果に加え、次のような効果を奏する。
すなわち、請求項２記載の発明によれば、交換ユニットを装着した後に下部接続端子を上方向に動かして接続するため、接続作業をスムーズに行うことができて、交換作業を効率的に行うことができ、また、誤配線による電子部品の故障の発生を回避することができるようにした遊技機を提供することができる。
【０１２０】
（請求項３）
請求項３記載の発明によれば、上記した請求項２記載の発明の効果に加え、次のような効果を奏する。
すなわち、請求項３記載の発明によれば、下部接続端子を有する移動ボックスを上下方向に案内する案内レールを備えていることから、下部接続端子と、上部接続端子との間の接続作業や、取り外し作業を、よりスムーズで確実なものにすることができるようにした遊技機を提供することができる。
【０１２１】
（請求項４）
請求項４記載の発明によれば、上記した請求項３に記載の発明の効果に加え、次のような効果を奏する。
すなわち、請求項４記載の発明によれば、下扉だけを開放した状態において、接続作業ができるため、上扉を開放することによる交換ユニット内の主制御装置やリールユニットへの不正操作を防止することができるようにした遊技機を提供することができる。
【０１２２】
（請求項５）
請求項５記載の発明によれば、上記した請求項１に記載の発明の効果に加え、次のような効果を奏する。
すなわち、請求項５記載の発明によれば、払い出し装置を移動することにより、接続作業を容易なものにすることができ、また、本体キャビネットの裏板と払い出し装置との間、すなわち、遊技者から見て払い出し装置の裏側で接続されているため、不正操作を防止可能な遊技機を提供することができる。
【０１２３】
（請求項６）
請求項６記載の発明によれば、上記した請求項１に記載の発明の効果に加え、次のような効果を奏する。
すなわち、請求項６記載の発明によれば、一方の接続端子には移動案内手段が形成されており、この接続端子は中板平面方向に対して任意に対応できないが、もう一方の接続端子は任意に対応できるように構成されているため、本体キャビネットの上部の交換ユニットの位置精度や組み合わせる部品の位置精度が悪くても対応可能な遊技機を提供することができる。
【０１２４】
（請求項７）
請求項７記載の発明によれば、上記した請求項６に記載の発明の効果に加え、次のような効果を奏する。
すなわち、請求項７記載の発明によれば、下部接続端子を上方向に移動した後、下部接続端子に対して上から上部接続端子を接続することができるため、配線作業を確認しつつ行うことができるようにした遊技機を提供することができる。
【０１２５】
（請求項８）
請求項８記載の発明によれば、上記した請求項７に記載の発明の効果に加え、次のような効果を奏する。
すなわち、請求項８記載の発明によれば、下扉だけを開放した状態では、交換ユニット内の主制御装置やリールユニットへの不正操作を防止することができるようにした遊技機を提供することができる。
【図面の簡単な説明】
【図１】本発明の第一の実施の形態であって、遊技機を示す縦断面図である。
【図２】本発明の第一の実施の形態であって、本体キャビネットを示す外観斜視図である。
【図３】本発明の第一の実施の形態であって、上部接続端子と、下部接続端子とを接続していない状態を示す外観斜視図である。
【図４】本発明の第一の実施の形態であって、上部接続端子と、下部接続端子とを接続している状態を示す外観斜視図である。
【図５】本発明の第一の実施の形態であって、上部接続端子と、下部接続端子とを接続していない状態を示す縦断面正面図である。
【図６】本発明の第一の実施の形態であって、上部接続端子と、下部接続端子とを接続している状態を示す縦断面正面図である。
【図７】本発明の第一の実施の形態であって、遊技機を示す分解斜視図である。
【図８】本発明の第一の実施の形態であって、遊技機を示す分解斜視図である。
【図９】本発明の第二の実施の形態であって、上部接続端子と、下部接続端子とを接続していない状態を示す縦断面正面図である。
【図１０】本発明の第二の実施の形態であって、上部接続端子と、下部接続端子とを接続している状態を示す縦断面正面図である。
【図１１】本発明の第三の実施の形態であって、遊技機を示す縦断面図である。
【符号の説明】
Ｓ  スロットマシン                              １  本体キャビネット
２    交換ユニット                    ３    前扉
４    電源装置                        ５    払い出し装置
６    係合部                          ７    ロック機構
１０  固定装置                        １１  開口部
１２  中板                            １３  開口上部
１４  開口下部                        １５  底板
１６  側板                            １７  天板
１８  裏板                            ２１  枠状支持体
２２  リールユニット                  ２３  回転リール
２４  基板ユニット                    ２５  主制御装置
３０  上扉                            ３１  表示窓
３２  表示装置                        ３３  飾り部
４０  下扉                            ４１  操作部
４２  メダル投入口                    ４３  メダル受け
４４  鍵穴                            ４８  メダルセレクター
４９  スピーカ                        ５０  前パネル
５１  枠体係合部                      ５２  上扉係合部
５３  本体係合部                      ５４  下扉係合部
６０  接続通路                        ７０  上部接続端子
７１  リールユニット上部接続端子      ７２  主制御装置上部接続端子
７５  下部接続端子                    ７６  リールユニット下部接続端子
７７  主制御装置下部接続端子          ７８  移動ボックス
８０  接続手段                        ８１  接続コード
９０  移動案内手段                    ９１  案内レール
９２  移動案内突片                    ９３  通路閉塞部
９４  レール通し孔                    ９５  軸部
９６  頭部                                                １００  配線部
１１０    集中接続端子                  １２０    上部側接続コード
１２１    リールユニット側接続コード    １２２    主制御装置側接続コード
１２５    下部側接続コード              １２６    ホッパー側接続コード
１２７    電源側接続コード              １３０    特別上部接続端子
１３５    特別下部接続端子              １４０    特別上部側接続コード
１４１    特別リールユニット側接続コード１４２    特別主制御装置側接続コード
１４５    特別下部側接続コード          １４６    特別ホッパー側接続コード
１４７    特別電源側接続コード                    １５０    枠状支持体開口部
【図１】
2004229779.tif 000003
【図２】
2004229779.tif 000004
【図３】
2004229779.tif 000005
【図４】
2004229779.tif 000006
【図５】
2004229779.tif 000007
【図６】
2004229779.tif 000008
【図７】
2004229779.tif 000009
【図８】
2004229779.tif 000010
【図９】
2004229779.tif 000011
【図１０】
2004229779.tif 000012
【図１１】
2004229779.tif 000013